(57)【特許請求の範囲】
【請求項１】
左右縦枠と上下枠とによりネットを開閉する枠組みがなされ、そのうちの一の枠に、コイルスプリングの弾力で巻取軸が回転するネットの巻取装置を内装し、両端には隣接枠に嵌入する連結片が突設された端面キャップを具備し、一方の端面キャップにおいて巻取装置の調整装置を備えた網戸、網窓等において、前記一の枠であって、上下端面キャップが固着される室内開放型の枠本体に、閉じる側の口がネットの収納口となるように開閉カバーを軸支してなり、その軸支について、枠本体に端面キャップをビス止めするために設けたビスポケットのうち、一端のビスポケットを軸としてそれに嵌まる一回り大きい同じくビスポケット状の軸受ポケットを開閉カバーの端に一体に形成したことを特徴とする網戸、網窓等におけるネット収納枠。
【請求項２】
枠本体および開閉カバーがそれぞれ断面Ｌ字形であることを特徴とする請求項１記載の網戸、網窓等におけるネット収納枠。
【発明の詳細な説明】
【０００１】
【発明の属する技術分野】
この発明は、ネットを自動的に巻取り戻して開くようにした網戸、網窓等におけるネット収納枠に関する。
【０００２】
【従来の技術】
従来、この種の網戸は、網戸枠の一側の縦枠をネット収納枠として、実施例の図面に示すように、その中に、ネット５の巻取装置７として、巻取軸２７、自動的に巻く力を蓄えるコイルスプリング２２、巻取軸２７に対してコイルスプリング２２に回転弾発力を付与する中心軸２６等が内装される。また、ネット５の先に可動框９が取り付けられ、可動框９が他方の縦枠２にコイルスプリング２２の弾発力に抗して止められるようになっている。
【０００３】
そこで、可動框９を縦枠２から離すと、コイルスプリング２２の力により自動的にネット５が巻取り戻される。このネット５の巻取りは、コイルスプリング２２の力により全幅がなされることが望ましい。つまり、可動框９の掛止を解くとコイルスプリング２２の戻りにより一挙にネット５が全部収納されると好都合であるが、未収納の残りが生じることがあり、この場合は、手動で戻すか、戻るように調整する必要がある。また、ネット５の張りに過不足が生じることがあり、その調整が必要である。
【０００４】
【発明が解決しようとする課題】
いずれにしても、未収納の残りを巻いて縦枠に納めるために、従来、図８に示すように、その縦枠５０の上端にコイルスプリングの調整装置１０が設けられ、その調整摘み５４が縦枠５０上端の端面キャップ５６の中央に回転可能に露出していたので、それにより調整できるが、縦枠５０の内部にある機構の故障や特別の調整や手動が必要のときは、内部を開く必要がありそれには不都合な面があった。
【０００５】
これについては、縦枠５０が内外部材５０ａ，５０ｂとの組合せであって、その組合せがタップにより螺入されるビス５７で前記端面キャップ５６を両部材５０ａ，５０ｂに固定することにより、端面キャップ５６を介して付随的に保持されており、そのため、巻取装置の故障があったり、調整摘み５４では調整できない手動等による手直しが必要であって、縦枠５０の中を開くようなとき、端面キャップ５６を内部材５０ａに止めているビス５７を一旦外してから、その内部材５０ａを取り外し、修理等の作業後に再度取り付けることになるため、作業が非常に面倒であった。
【０００６】
この発明は、上記のような実情に鑑みて、端面キャップを止めているビスを外すことなく室内側の開閉カバーを開くことができるために、巻取装置の手直しが容易となり、また、その開閉構造が簡単である網戸、網窓等におけるネット収納枠を提供することを目的とした。
【０００７】
【課題を解決するための手段】
上記の目的を達成するために、この発明は、左右縦枠と上下枠とによりネットを開閉する枠組みがなされ、そのうちの一の枠に、コイルスプリングの弾力で巻取軸が回転するネットの巻取装置を内装し、両端には隣接枠に嵌入する連結片が突設された端面キャップを具備し、一方の端面キャップにおいて巻取装置の調整装置を備えた網戸、網窓等において、前記一の枠であって、上下端面キャップが固着される室内開放型の枠本体に、閉じる側の口がネットの収納口となるように開閉カバーを軸支してなり、その軸支について、枠本体に端面キャップをビス止めするために設けたビスポケットのうち、一端のビスポケットを軸としてそれに嵌まる一回り大きい同じくビスポケット状の軸受ポケットを開閉カバーの端に一体に形成したことを特徴とする網戸、網窓等におけるネット収納枠を提供するものである。
【０００８】
【作用】
上記の構成によれば、ネットの巻取装置の変調を、調整装置では調整できないときには開閉カバーを開いて巻取装置を直接手直しでき、その際に端面キャップを止めているビスを外す必要はない。また、枠本体には上下端面キャップをビス止めするためのビスポケットが設けられ、そのうちの一端のビスポケットを軸として、その軸に嵌まる軸受ポケットが開閉カバーの端に形成され、両端の端面キャップが開閉カバーを止める役目を果たしているというように、各部の役目が一にとどまらず、構造が合理的である。
【０００９】
【発明の実施の形態】
この発明は、建具としての網戸や網窓ばかりでなく、例えば、物品を入れるケース等の網窓にも実施される。また、ネット５を自動的に巻き戻すために、コイルスプリング２２が用いられるが、ネット５の巻き戻しが可能であれば、ゼンマイバネを用いてもこの発明の趣旨に反しないものとする。また、請求項２に記載の如く、枠本体１５および開閉カバー１７を断面Ｌ字形に形成すると、枠本体１５は本体としての強度が得られ、構造も簡単となる。
【００１０】
【発明の効果】
以上説明したように、この発明の網戸、網窓等におけるネット収納枠によれば、端面キャップを止めているビスを外すことなく室内側の開閉カバーを開くことができるために、巻取装置の手直し等のために内部の巻取装置を開くときに非常に好都合であり、また、開閉構造が蝶番等の他の部品を使用することがなく合理的であり安価な提供に適する等の効果がある。
【００１１】
【実施例】
次に、この発明の実施例を図面に基づいて説明する。
【００１２】
図面は、防虫網戸として実施した一例を示し、その防虫網戸は、一方の縦枠をネット収納枠１としたもので、そのネット収納枠１と他方の縦枠２と、上下枠３，４にり枠組みされ、ネット収納枠１にネット５の巻取装置７が装備される。また、ネット５の先端に可動框９を接続し、この可動框９に上下磁石１１，１１を取付け、縦枠２にそれに吸着される金属の磁石受け１３，１３が取り付けてある。
【００１３】
ネット収納枠１は、枠本体１５と開閉カバー１７との組合せからなるもので、それぞれを断面Ｌ字形に形成し、枠本体１５については、内角と両端にビスポケット１９，１９，１９を設け、そのうちの一端のビスポケット１９を軸として開閉カバー１７が開閉可能に軸支され、その軸支のために、開閉カバー１７の基端にビスポケット１９に嵌まる一回り大きい軸受ポケット２４が形成される。
【００１４】
そして、開閉カバー１７が閉じたときに、枠本体１５との間の閉じ口がネット５の収納口２１として、その間隔が保持されるように、開閉カバー１７の先端近くに上下枠３，４の室内側面に掛かる突片２０が形成される。図２が閉じた状態を示し、開閉カバー１７の先端部１８が上下枠３，４の端面に当接しているため、開閉カバー１７の先端部１８を内側へ（Ｒａ方向へ）押さないと、開閉カバー１７を開くことはできない。つまり、ネット５の収納口２１が安定して保持され、不用意に開くことはない安定性がある。
【００１５】
図３は、開閉カバー１７を開いた状態を示したもので、この状態で巻取装置７を直接操作できる。また、この状態から閉じるときには、先端部１８を内側へ（矢印Ｒｂ方向へ）押して先端部１８を押し込みながら突片２０を上下枠３，４に掛けることにより、ネット５の収納口２１が保持される。
【００１６】
巻取装置７は、主要部がネット収納枠１の中に内装され、その上端にコイルスプリング２２の調整摘み２３と、コイルスプリング２２の弾力を解放する解除レバー２５とを備えた調整装置１０が設けられる。主要部については、上下中心軸２６，２６に筒形の巻取軸２７を軸承し、その軸承には、上下軸受２９，２９が巻取軸２７に嵌合して固着される。
【００１７】
コイルスプリング２２は、上端の中心軸２６に被着され、下端に引掛り３０を設けてその下端を下方の軸受２９に掛止し、上端を中心軸２６に止具２８で固着してある。そこで、ネット５を張る矢印Ｐａ方向へ可動框９を移動させ、ネット５を巻き出すと、コイルスプリング２２に弾力が蓄積され、ネット５が巻き取られる矢印Ｐｂ方向へ徐々に付勢される。そして、可動框９が縦枠２に磁石１１，１１で吸着されている間、弾力が一定に保有されているので、調整装置１０の調整摘み２３によりネット５の張りを緊張させ、あるいは、レバー２５により緩めるというように、いずれにも適度に調整できる。
【００１８】
ネット収納枠１の枠本体１５の上端にビス３１，３１，３１によって端面キャップ３３，３４が止められ、両端面キャップ３３，３４に上枠３と下枠４の中に有する中空部３６，３６に嵌入される一対の連結片３５，３５が突設される。また、上の端面キャップ３３は、連結片３５を有する上部片３３ａと、それに重なる下部片３３ｂとからなり、その間の中空に調整装置１０が装備される。
【００１９】
調整装置１０は、中心軸２６が接続される中心歯車３７に脇歯車３９が噛合したもので、脇歯車３９に調整摘み２３が一体に成形されている。そこで、調整摘み２３を矢印Ｐｃ方向へ回すと、中心歯車３７，中心軸２６、コイルスプリング２２を介して巻取軸２７がネット５を巻き取る矢印Ｐｂ方向へ回転する。または、コイルスプリング２２にその力が蓄えられる。
【００２０】
調整摘み２３は、ラチェット歯車であって、コイルスプリング２２にこのように蓄えた力を保存する手段として、調整摘み２３のラチェット４１に掛かるラチェット４３が解除レバー２５に突設され、ラチェット４１，４３が回転方向Ｐｃへ逃げ角となっている。また、引っ掛かりを止めるために、ピンスプリング４５がその方向へ押さえている。
【００２１】
上部片３３ａには解除レバー２５の回転軸４７が突設されており、解除レバー２５が「く」字形に屈折して先端が調整摘み２３の端とともに室内側に露出している。そこで、解除レバー２５の先端を矢印Ｐｅ方向へ操作すると、調整摘み２３の止めが解除されて、コイルスプリング２２が戻り、弾発力を喪失するので、解除レバー２５をピンスプリング４５の弾力に任せて復帰させることにより、弾発力を適度な段階に調整できる。なお、ネット５を仕舞った状態では、弾発力の全部を喪失させることによって、コイルスプリング２２の弾性能力を保存できる。
【００２２】
なお、ネット５の開閉の構造については、上下枠３，４にガイドレール４９，４９が組み込まれており、可動框９の上下両端にガイドレール４９，４９と係合するスライダー４７，４７が取り付けられる他、ネット５の上下両端のテープにガイドレール４９，４９と係合するスライド虫５１，５１，・・が列設されている。
【図面の簡単な説明】
【図１】この発明に係る網戸の分解斜視図である。
【図２】組み立てた同網戸のネット収納枠を図１のＡ−Ａ線矢視において示す拡大断面図である。
【図３】開閉カバーを開いた状態を示す図２に対応する断面図である。
【図４】図２のＢ−Ｂ線矢視の断面図である。
【図５】巻取装置の調整装置を示すため上端の端面キャップを切欠した同網戸の一部平面図である。
【図６】図２のＣ−Ｃ線矢視の断面図である。
【図７】組み立てた網戸を図１のＤ−Ｄ線矢視において示す拡大断面図である。
【図８】従来例の説明図である。
【符号の説明】
１  ネット収納枠
２  縦枠
３  上枠（隣接枠）
４  下枠（隣接枠）
５  ネット
７  巻取装置
９  可動框
１０  調整装置
１５  枠本体
１７  開閉カバー
１８  開閉カバーの先端部
１９  ビスポケット
２０  突片
２１  ネット収納口
２２  コイルスプリング
２３  調整摘み
２４  軸受ポケット
２５  解除レバー
２６  中心軸
２７  巻取軸
３１  ビス
３３，３４  端面キャップ
３５  連結片
４５  スプリング
【図１】
0003617646.tif 000002
【図２】
0003617646.tif 000003
【図３】
0003617646.tif 000004
【図４】
0003617646.tif 000005
【図５】
0003617646.tif 000006
【図６】
0003617646.tif 000007
【図７】
0003617646.tif 000008
【図８】
0003617646.tif 000009